(57)【要約】【課題】コスト低減を図る。【解決手段】ナット２５Ａ，２５Ｂを締め付けるために用いられる便器用工具１０であって、基部１１と、第１ナット２５Ａと嵌合可能であって基部１１の長さ方向における一方の端部から基部１１の長さ方向と略直角な方向へ突出する第１ソケット部１４Ａと、第２ナット２５Ｂと嵌合可能であって基部１１の長さ方向における他方の端部から基部１１の長さ方向と略直角な方向へ突出する第２ソケット部１４Ｂとを備える。【選択図】図１
2012110993.tif 000002
【特許請求の範囲】
【請求項１】
便器の組立て作業においてナットを締め付けるために用いられる便器用工具であって、
基部と、
前記ナットと嵌合可能であり、前記基部の長さ方向における一方の端部から、前記基部の長さ方向と略直角な方向へ突出する第１ソケット部と、
前記ナットと嵌合可能であり、前記基部の長さ方向における他方の端部から、前記基部の長さ方向と略直角な方向へ突出する第２ソケット部とを備えていることを特徴とする便器用工具。
【請求項２】
前記基部の長さ方向と直角な仮想投影面上において、前記第１ソケット部と前記第２ソケット部が互いに正反対の方向へ突出していることを特徴とする請求項１記載の便器用工具。
【請求項３】
前記第１ソケット部と前記第２ソケット部のうち少なくとも一方の前記ソケット部における突出方向と反対側の端面には、前記突出方向に対して斜めをなすテーパ面が形成されていることを特徴とする請求項１又は請求項２記載の便器用工具。
【発明の詳細な説明】
【技術分野】
【０００１】
本発明は、便器用工具に関するものである。
【背景技術】
【０００２】
洋風の便器本体に便座を取り付ける場合には、便器本体の取付孔にボルトを貫通してその雄ネジ部を便器本体外に突出させ、この雄ネジ部の突出部分にナットを螺合して締め付ける作業が行われる。そして、ナットを締め付ける際には、ナットに嵌合されるソケット部と、作業者が握る操作部とを備えた便器用工具が用いられる。特許文献１には、便器用工具の一例が記載されている。
【先行技術文献】
【特許文献】
【０００３】
【特許文献１】特開２００１−１０４２１７号公報
【発明の概要】
【発明が解決しようとする課題】
【０００４】
上記のようなボルトとナットによる取付け構造においては、便器の種類によってナットの外周形状や外径寸法等が異なる場合がある。ところが、上記特許文献１の便器用工具は、設けられているソケット部の数が１つだけであったため、ナットの種類が異なる複数の便器に対応させるためには、各ナットに応じた複数種類の便器用工具を用意する必要がある。便器用工具の種類が多くなると、金型コストや部品管理コストがアップするため、対策が望まれる。
本発明は上記のような事情に基づいて完成されたものであって、コスト低減を図ることを目的とする。
【課題を解決するための手段】
【０００５】
上記の目的を達成するための手段として、請求項１の発明は、便器の組立て作業においてナットを締め付けるために用いられる便器用工具であって、基部と、前記ナットと嵌合可能であり、前記基部の長さ方向における一方の端部から、前記基部の長さ方向と略直角な方向へ突出する第１ソケット部と、前記ナットと嵌合可能であり、前記基部の長さ方向における他方の端部から、前記基部の長さ方向と略直角な方向へ突出する第２ソケット部とを備えているところに特徴を有する。
【０００６】
請求項２の発明は、請求項１に記載のものにおいて、前記基部の長さ方向と直角な仮想投影面上において、前記第１ソケット部と前記第２ソケット部が互いに正反対の方向へ突出しているところに特徴を有する。
【０００７】
請求項３の発明は、請求項１または請求項２に記載のものにおいて、前記第１ソケット部と前記第２ソケット部のうち少なくとも一方の前記ソケット部における突出方向と反対側の端面には、前記突出方向に対して斜めをなすテーパ面が形成されているところに特徴を有する。
【発明の効果】
【０００８】
＜請求項１の発明＞
ナットを締め付ける際には、いずれか一方のソケット部をナットに嵌合し、そのソケット部を中心として便器用工具を旋回させることにより、ナットを回転させる。本発明では、１つの便器用工具によって、形状の異なる少なくとも２種類のナットの締付け作業に対応することができるので、便器用工具の種類が増えることに起因するコストアップを抑えることができる。
【０００９】
＜請求項２の発明＞
スペース上の制約のために便器用工具を１回転させることができない場合には、その限られたスペース内で便器用工具を極力大きく旋回させれば、ナットに対するソケット部の着脱回数が少なくて済む。この点に鑑み本発明では、仮想投影面上において、第１ソケット部と第２ソケット部をほぼ一直線状に並ぶように配置して、便器用工具の旋回方向と平行な幅方向の寸法を小さくした。このように、便器用工具を幅狭の形状としたことにより、限られたスペース内における便器用工具の最大旋回角度を大きくして、ナットに対するソケット部の着脱回数を減らすことができるので、作業性の向上を図ることができる。
【００１０】
＜請求項３の発明＞
テーパ面は、基部の長さ方向に沿った外面と、ソケット部における突出方向に沿った外面との両外面に対して鈍角状に連なっているので、基部とソケット部を手で掴んだときの触感が良好である。
【図面の簡単な説明】
【００１１】
【図１】実施形態１の便器用工具の斜視図
【図２】便器用工具の断面図
【図３】便器用工具の正面図
【図４】便器用工具の使用形態をあらわす側面図
【図５】便器用工具の別の使用形態をあらわす側面図
【発明を実施するための形態】
【００１２】
＜実施形態１＞
以下、本発明を具体化した実施形態１を図１乃至図５を参照して説明する。本実施形態の便器用工具１０は、図４，５に示すように、便器２０において、便器本体２１に便座支持部材２２を組み付ける際に使用されるものである。便器本体２１に便座支持部材２２を取り付ける際には、便座支持部材２２に係止したボルト２３を、便器本体２１に形成されている上下貫通形態の取付孔２４に対して上から挿通し、便器本体２１の下面から突出しているボルト２３の雄ネジ部に、ナット２５Ａ，２５Ｂを螺合する。本実施形態の便器用工具１０は、このナット２５Ａ，２５Ｂを締め付ける作業に用いられる。また、便器２０の種類によって、ナット２５Ａ，２５Ｂの外周形状が異なるのであるが、本実施形態の便器用工具１０は、単一部品でありながら、外周形状の異なる第１と第２の２種類のナット２５Ａ，２５Ｂに対応している。
【００１３】
便器用工具１０は、合成樹脂製であり、図１，２に示すように、基部１１と第１ソケット部１４Ａと第２ソケット部１４Ｂとを一体に形成して構成されている。尚、以下の説明における便器用工具１０の向きについては、ソケット部１４Ａ，１４Ｂの軸線を上下方向に向けて便器用工具１０を使用している状態（図２を参照）を基準とする。基部１１は、全体として水平方向に長く、水平な基板部１２と、基板部１２の両側縁部に連なる左右対称な一対の側板部１３とからなる。側板部１３は、板面を鉛直方向（基板部１２とに対して直角な方向）に向けており、基板部１２の両側縁は、左右両側板部１３の上下方向における中央位置に連なっている。つまり、基部１１の長さ方向と直角に切断した断面形状は、Ｈ形である。
【００１４】
第１ソケット部１４Ａは、軸線を上下方向に向けた略円筒形をなし、基部１１の長さ方向における一方の端部から、上方（即ち、基部１１の長さ方向に対して直角な方向）へ突出した形態となっている。第１ソケット部１４Ａの外径寸法は、基部１１の幅寸法（＝側板部１３の外面間の寸法）よりも少し大きく、基板部１２の端部と両側板部１３の端部が、第１ソケット部１４Ａの下端部の外面に対して突き当たるように連なっている。第１ソケット部１４Ａの基部１１からの突出寸法（基部１１の上面から第１ソケット部１４Ａの上端までの寸法）は、基部１１の長さ方向とほぼ同じ寸法とされている。第１ソケット部１４Ａの内部は、上下方向に貫通した第１貫通孔１５Ａとなっており、第１貫通孔１５Ａの上端部（基部１１からの第１ソケット部１４Ａの突出方向における先端部）は、第１ナット２５Ａに対して相対回転規制状態に嵌合される第１嵌合部１６Ａとなっている。
【００１５】
第１ソケット部１４Ａの円形をなす下端面のうち基部１１に近い側の略半円形領域は、第１ソケット部１４Ａの軸線に対して直角をなし、側板部１３の下端面に対して同じ高さで面一状に連なっている。一方、第１ソケット部１４Ａの下端面のうち基部１１と反対側の略半円形領域は、第１ソケット部１４Ａの軸線と直角な水平面に対して鈍角をなす第１テーパ面１７Ａとなっている。したがって、図２に示すように、基部１１からの第１ソケット部１４Ａの突出方向（つまり、第１ソケット部１４Ａの軸線と平行な上下方向）及び基部１１の長さ方向（つまり、水平方向）の両方向と直角な方向から便器用工具１０を見ると、第１テーパ面１７Ａと基部１１（側板部１３）の下端縁とが鈍角状に連なり、第１テーパ面１７Ａと第１ソケット部１４Ａの基部１１とは反対側の外面とが鈍角状に連なっている。
【００１６】
第２ソケット部１４Ｂは、軸線を上下方向に向けた略円筒形をなし、基部１１の長さ方向における他方（第１ソケット部１４Ａとは反対側）の端部から、下方（即ち、基部１１の長さ方向に対して直角であって、第１ソケット部１４Ａの突出方向とは正反対の方向）へ突出した形態となっている。第２ソケット部１４Ｂの外径寸法は、第１ソケット部１４Ａとほぼ同じであり、基部１１の幅寸法（＝側板部１３の外面間の寸法）よりも少し大きい。そして、基板部１２の端部と両側板部１３の端部が、第２ソケット部１４Ｂの上端部の外面に対して突き当たるように連なっている。
【００１７】
第２ソケット部１４Ｂの基部１１からの突出寸法（基部１１の下面から第２ソケット部１４Ｂの下端までの寸法）は、第１ソケット部１４Ａの突出寸法よりも小さい寸法とされている。第２ソケット部１４Ｂの内部は、上下方向に貫通した第２貫通孔１５Ｂとなっており、第２貫通孔１５Ｂの下端側の領域（基部１１からの第２ソケット部１４Ｂの突出方向における先端部であり、上下方向においては基部１１の下端よりも下方の領域）は、第２ナット２５Ｂに対して相対回転規制状態に嵌合される第２嵌合部１６Ｂとなっている。この第２嵌合部１６Ｂの内周形状は上記第１嵌合部１６Ａとは異なる形状となっている。
【００１８】
第２ソケット部１４Ｂの円形をなす上端面のうち基部１１に近い側の略半円形領域は、第２ソケット部１４Ｂの軸線に対して直角をなし、側板部１３の上端面に対して同じ高さで面一状に連なっている。一方、第２ソケット部１４Ｂの上端面のうち基部１１と反対側の略半円形領域は、第２ソケット部１４Ｂの軸線と直角な水平面に対して鈍角をなす第２テーパ面１７Ｂとなっている。したがって、図２に示すように、基部１１からの第２ソケット部１４Ｂの突出方向（つまり、第２ソケット部１４Ｂの軸線と平行な上下方向）及び基部１１の長さ方向（つまり、水平方向）の両方向と直角な方向から便器用工具１０を見ると、第２テーパ面１７Ｂと基部１１（側板部１３）の上端縁とが鈍角状に連なり、第２テーパ面１７Ｂと第２ソケット部１４Ｂの基部１１とは反対側の外面とが鈍角状に連なっている。
【００１９】
また、上記のように第１ソケット部１４Ａが基部１１から上方へ突出しているのに対し、第２ソケット部１４Ｂは、基部１１から第１ソケット部１４Ａとは正反対の下方へ突出しているので、図３に示すように、基部１１の長さ方向と直角な仮想投影面上においては、第１ソケット部１４Ａと第２ソケット部１４Ｂとがほぼ一直線状に上下に並ぶように配置され、便器用工具１０の幅方向の寸法が最小に抑えられている。この仮想投影面上における便器用工具１０の幅方向は、ナット２５Ａ，２５Ｂを締め付ける際にソケット部１４Ａ，１４Ｂを中心として便器用工具１０を旋回させるときの変位方向と平行な方向である。したがって、便器用工具１０は、その旋回方向と平行な幅方向において、幅狭の形状に成形されている。
【００２０】
次に、便器用工具１０の使用形態を説明する。第１ナット２５Ａを締め付ける際には、図４に示すように、便器用工具１０の基部１１と第２ソケット部１４Ｂを手で掴み、第１ソケット部１４Ａが基部１１から上方へ突出する向きにして、第１ソケット部１４Ａを下からボルト２３に外嵌し、第１嵌合部１６Ａを第１ナット２５Ａに嵌合する。そして、第１ソケット部１４Ａの上下方向の軸線を中心として便器用工具１０を水平に旋回させることにより、第１ナット２５Ａを螺進させて締め付ける。
【００２１】
また、第２ナット２５Ｂを締め付ける際には、図５に示すように、便器用工具１０の基部１１と第１ソケット部１４Ａを手で掴み、第２ソケット部１４Ｂが基部１１から上方へ突出する向きにして、第２ソケット部１４Ｂを下からボルト２３に外嵌し、第２嵌合部１６Ｂを第２ナット２５Ｂに嵌合する。そして、第２ソケット部１４Ｂの上下方向の軸線を中心として便器用工具１０を水平に旋回させることにより、第２ナット２５Ｂを螺進させて締め付ける。
【００２２】
尚、上記の締付け作業において、ボルト２３の周囲に、便器用工具１０を一回転させるだけの十分なスペースが確保されていない場合には、便器用工具１０を、ナット２５Ａ，２５Ｂに嵌合した状態で可能な範囲内で旋回させ、その後、一旦ナット２４Ａ，２５Ｂから外して、逆向きに旋回させて再びナット２５Ａ，２５Ｂに嵌合して旋回する、という工程を複数回繰り返せばよい。また、ボルト２３の周囲に便器用工具１０を一回転させるだけの十分なスペースが確保されている場合には、便器用工具１０を、ナット２５Ａ，２５Ｂに嵌合させたままの状態で複数回転させればよい。
【００２３】
本実施形態の便器用工具１０は、基部１１と、基部１１の長さ方向における一方の端部から基部１１の長さ方向と略直角な方向へ突出する第１ソケット部１４Ａと、基部１１の長さ方向における他方の端部から基部１１の長さ方向と略直角な方向へ突出する第２ソケット部１４Ｂとを備えているので、形状の異なる２種類のナット２５Ａ，２５Ｂの締付け作業に対応することができる。これにより、便器用工具１０の種類が増えることに起因するコストアップを抑えることができる。
【００２４】
また、ソケット部１４Ａ，１４Ｂの基部１１からの突出方向が鈍角である場合には、ソケット部１４Ａ，１４Ｂの軸線方向（ナット２４Ａ，２５Ｂに嵌合した状態では上下方向）において便器用工具１０の寸法が大きくなるのであるが、本実施形態では、ソケット部１４Ａ，１４Ｂの基部１１からの突出方向を略直角としたので、ソケット部１４Ａ，１４Ｂの軸線方向において便器用工具１０の小型化を図ることができる。
【００２５】
また、スペース上の制約のために便器用工具１０を一回転させることができない場合には、その限られたスペース内で便器用工具１０を極力大きく旋回させれば、ナット２５Ａ，２５Ｂに対するソケット部１４Ａ，１４Ｂの着脱回数が少なくて済む。この点に鑑み、本実施形態では、基部１１の長さ方向と直角な仮想投影面上において、第１ソケット部１４Ａと第２ソケット部１４Ｂをほぼ一直線状に並ぶように配置して、便器用工具１０の旋回方向と平行な幅方向の寸法を小さくした。このように、便器用工具１０を幅狭の形状としたことにより、限られたスペース内における便器用工具１０の最大旋回角度を大きくして、ナット２５Ａ，２５Ｂに対するソケット部１４Ａ，１４Ｂの着脱回数を減らすことができるので、作業性の向上を図ることができる。
【００２６】
また、第１ソケット部１４Ａにおける突出方向と反対側の端面には、その突出方向に対して斜めをなす第１テーパ面１７Ａを形成し、第２ソケット部１４Ｂにおける突出方向と反対側の端面には、その突出方向に対して斜めをなす第２テーパ面１７Ｂを形成し、これらのテーパ面１７Ａ，１７Ｂが、基部１１の長さ方向に沿った外面と、ソケット部１４Ａ，１４Ｂにおける突出方向に沿った外面との両外面に対して鈍角状に連なる形態とした。このように、本実施形態では、便器用工具１０を操作するときに手が触れる部分を鈍角状に形成したので、基部１１とソケット部１４Ａ，１４Ｂを手で掴んだときの触感が良好となり、操作性の向上が期待できる。また、ボルト２３及びナット２５Ａ，２５Ｂの下方空間が狭い場合には、この空間内へ便器用工具１０を水平に進入させる際に、テーパ面１７Ａ，１７Ｂの傾斜をガイド手段として利用することも可能である。
【００２７】
＜他の実施形態＞
本発明は上記記述及び図面によって説明した実施形態に限定されるものではなく、例えば次のような実施形態も本発明の技術的範囲に含まれる。
（１）上記実施形態では、基部の長さ方向と直角な仮想投影面上において第１ソケット部と第２ソケット部とが互いに正反対方向（互いに１８０°をなす方向）に突出する形態としたが、基部の長さ方向と直角な仮想投影面上において第１ソケット部と第２ソケット部とが鈍角、直角、鋭角のいずれかの角度をなす方向に突出するようにしてもよい。
（２）上記実施形態では、第１ソケット部の突出寸法と第２ソケット部の突出寸法を異なる寸法としたが、第１ソケット部と第２ソケット部の突出寸法は同じ寸法であってもよい。この場合、第１ソケット部と第２ソケット部を外観上で識別するための手段として、色違いにしたり、外周形状を異ならせたり、外周に凹凸部を形成する等の識別手段を設けることが望ましい。
（３）上記実施形態では、第１ソケット部の外径寸法と第２ソケット部の外径寸法を同じ寸法としたが、第１ソケット部と第２ソケット部の外径は互いに異なる寸法であってもよい。
（４）上記実施形態では、第１ソケット部を貫通形態の筒状としたが、第１ソケット部は、非貫通形態の有底筒状としてもよい。
（５）上記実施形態では、第２ソケット部を貫通形態の筒状としたが、第２ソケット部は、非貫通形態の有底筒状としてもよい。
（６）上記実施形態では、１つの便器用工具に形成されるソケット部の数を２つとしたが、１つの便器用工具に３つ以上のソケット部を形成してもよい。具体的には、基部の一方の端部又は両端部に、突出方向の異なる複数のソケット部を形成すればよい。
（７）上記実施形態では、第１ソケット部のテーパ面を、第１ソケット部における突出方向と反対側の端面のうちのほぼ半分の領域のみに形成したが、テーパ面は、第１ソケット部における突出方向と反対側の端面の全領域に亘って形成してもよい。
（８）上記実施形態では、第２ソケット部のテーパ面を、第２ソケット部における突出方向と反対側の端面のうちのほぼ半分の領域のみに形成したが、テーパ面は、第２ソケット部における突出方向と反対側の端面の全領域に亘って形成してもよい。
（９）上記実施形態では、第１ソケット部における突出方向と反対側の端面に、突出方向に対して斜めをなすテーパ面を形成したが、このようなテーパ面を形成せず、第１ソケット部における突出方向と反対側の端面を、その全領域に亘って突出方向と直角な面としてもよい。
（１０）上記実施形態では、第２ソケット部における突出方向と反対側の端面に、突出方向に対して斜めをなすテーパ面を形成したが、このようなテーパ面を形成せず、第２ソケット部における突出方向と反対側の端面を、その全領域に亘って突出方向と直角な面としてもよい。
（１１）上記実施形態では、便器用工具を合成樹脂製としたが、便器用工具の材質は、金属等、合成樹脂以外のものであってもよい。
【符号の説明】
【００２８】
１０…便器用工具
１１…基部
１４Ａ…第１ソケット部
１４Ｂ…第２ソケット部
１７Ａ…第１テーパ面
１７Ｂ…第２テーパ面
２０…便器
２５Ａ…第１ナット
２５Ｂ…第２ナット
【図１】
2012110993.tif 000003
【図２】
2012110993.tif 000004
【図３】
2012110993.tif 000005
【図４】
2012110993.tif 000006
【図５】
2012110993.tif 000007